【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
車体上に設けられ、前記車体に対して少なくとも起伏動および伸長動可能なブームと、
前記ブームの先端部に設けられ、前記ブームの先端部に取り付けられるとともに先端に電線を仮支持する仮支持部を有し、前記ブームの先端部に対して前記仮支持部の上下位置を調整可能に構成されたサブブーム装置と、
前記ブームの先端部に取り付けられた作業台と、
前記車体に対する前記ブームの先端部の位置を検出するブーム位置検出手段と、
前記ブームの先端部に対する前記仮支持部の位置を検出する仮支持部位置検出手段と、
前記ブーム位置検出手段により検出された前記ブームの先端部の位置から前記作業台の地上からの高さを算出する作業台高さ算出手段と、
前記仮支持部位置検出手段により検出された前記仮支持部の位置から前記仮支持部の前記作業台からの高さを算出する仮支持部高さ算出手段と、
前記作業台の地上からの高さが所定の閾値を超え、かつ、前記仮支持部の前記作業台からの高さが所定の閾値より小さいときに警報を発する規制判定手段と、を有する高所作業車。
【請求項２】
車体上に設けられ、前記車体に対して少なくとも起伏動および伸長動可能なブームと、
前記ブームの先端部に設けられ、前記ブームの先端部に取り付けられるとともに先端に電線を仮支持する仮支持部を有し、前記ブームの先端部に対して前記仮支持部の上下位置を調整可能に構成されたサブブーム装置と、
前記ブームの先端部に取り付けられた作業台と、
前記車体に対する前記ブームの先端部の位置を検出するブーム位置検出手段と、
前記ブームの先端部に対する前記仮支持部の位置を検出する仮支持部位置検出手段と、
前記ブーム位置検出手段により検出された前記ブームの先端部の位置から前記作業台の地上からの高さを算出する作業台高さ算出手段と、
前記仮支持部位置検出手段により検出された前記仮支持部の位置から前記仮支持部の前記作業台からの高さを算出する仮支持部高さ算出手段と、
前記作業台の地上からの高さが所定の閾値を超え、かつ、前記仮支持部の前記作業台からの高さが所定の閾値より小さいときに規制信号を出力する規制判定手段と、
前記作業台に設けられ、前記ブームを操作するブーム操作手段と、
前記ブーム操作手段からの操作信号に応じて前記ブームを作動させるとともに、前記規制判定手段から前記規制信号が出力されているときに、前記作業台が上昇する方向の前記ブームの作動を規制するブーム制御手段と、を有する高所作業車。
【請求項３】
車体上に設けられ、前記車体に対して少なくとも起伏動および伸長動可能なブームと、
前記ブームの先端部に設けられ、前記ブームの先端部に取り付けられるとともに先端に電線を仮支持する仮支持部を有し、前記ブームの先端部に対して前記仮支持部の上下位置を調整可能に構成されたサブブーム装置と、
前記ブームの先端部に取り付けられた作業台と、
前記車体に対する前記ブームの先端部の位置を検出するブーム位置検出手段と、
前記ブームの先端部に対する前記仮支持部の位置を検出する仮支持部位置検出手段と、
前記ブーム位置検出手段により検出された前記ブームの先端部の位置から前記作業台の地上からの高さを算出する作業台高さ算出手段と、
前記仮支持部位置検出手段により検出された前記仮支持部の位置から前記仮支持部の前記作業台からの高さを算出する仮支持部高さ算出手段と、
前記作業台の地上からの高さが所定の閾値を超え、かつ、前記仮支持部の前記作業台からの高さが所定の閾値より小さいときに規制信号を出力する規制判定手段と、
前記作業台に設けられ、前記サブブーム装置を操作するサブブーム操作手段と、
前記サブブーム操作手段からの操作信号に応じて前記サブブーム装置を作動させるとともに、前記規制判定手段から前記規制信号が出力されているときに、前記仮支持部が下降する方向の前記サブブーム装置の作動を規制するサブブーム制御手段と、を有する高所作業車。
【請求項４】
前記サブブーム装置で前記電線を仮支持する作業を行うことを選択する仮支持モード選択手段を有し、
前記規制判定手段が、前記仮支持モード選択手段で仮支持する作業が選択されているときのみ作動するように構成された請求項１〜３のいずれかに記載の高所作業車。
【手続補正２】
【補正対象書類名】明細書
【補正対象項目名】０００６
【補正方法】変更
【補正の内容】
【０００６】
前記課題を解決するために、第１の本発明に係る高所作業車は、車体上に設けられ、この車体に対して少なくとも起伏動および伸長動可能なブームと、ブームの先端部に設けられ、このブームの先端部に取り付けられるとともに先端に電線を仮支持する仮支持部を有し、前記ブームの先端部に対して前記仮支持部の上下位置を調整可能に構成されたサブブーム装置と、ブームの先端部に取り付けられた作業台と、車体に対するブームの先端部の位置を検出するブーム位置検出手段（例えば、実施形態におけるブーム起伏角検出器２１およびブーム伸長量検出器２２）と、ブームの先端部に対する仮支持部の位置を検出する仮支持部位置検出手段（例えば、実施形態におけるサブブーム起伏角検出器２３およびサブブーム伸長量検出器２４）と、ブーム位置検出手段により検出されたブームの先端部の位置から作業台の地上からの高さ（例えば、実施形態における作業台高さＨ1）を算出する作業台高さ算出手段（例えば、実施形態における作業台高さ算出部３２）と、仮支持部位置検出手段により検出された仮支持部の位置から仮支持部の作業台からの高さ（例えば、実施形態における仮支持点高さＨ2）を算出する仮支持部高さ算出手段（例えば、実施形態における仮支持点高さ算出部３３）と、作業台の地上からの高さが所定の閾値を超え、かつ、仮支持部の作業台からの高さが所定の閾値より小さいときに警報を発する規制判定手段（例えば、実施形態における規制判定部３４）と、を有して構成される。
【手続補正３】
【補正対象書類名】明細書
【補正対象項目名】０００７
【補正方法】変更
【補正の内容】
【０００７】
また、第２の本発明に係る高所作業車は、車体上に設けられ、この車体に対して少なくとも起伏動および伸長動可能なブームと、ブームの先端部に設けられ、このブームの先端部に取り付けられるとともに先端に電線を仮支持する仮支持部を有し、前記ブームの先端部に対して前記仮支持部の上下位置を調整可能に構成されたサブブーム装置と、ブームの先端部に取り付けられた作業台と、車体に対するブームの先端部の位置を検出するブーム位置検出手段と、ブームの先端部に対する仮支持部の位置を検出する仮支持部位置検出手段と、ブーム位置検出手段により検出されたブームの先端部の位置から作業台の地上からの高さを算出する作業台高さ算出手段と、仮支持部位置検出手段により検出された仮支持部の位置から仮支持部の作業台からの高さを算出する仮支持部高さ算出手段と、作業台の地上からの高さが所定の閾値を超え、かつ、仮支持部の作業台からの高さが所定の閾値より小さいときに規制信号を出力する規制判定手段と、作業台に設けられ、ブームを操作するブーム操作手段（例えば、実施形態における上部操作装置９）と、ブーム操作手段からの操作信号に応じてブームを作動させるとともに、規制判定手段から規制信号が出力されているときに、作業台が上昇する方向のブームの作動を規制するブーム制御手段（例えば、実施形態におけるブーム制御部３１）と、を有して構成される。
【手続補正４】
【補正対象書類名】明細書
【補正対象項目名】０００８
【補正方法】変更
【補正の内容】
【０００８】
また、第３の本発明に係る高所作業車が、車体上に設けられ、この車体に対して少なくとも起伏動および伸長動可能なブームと、ブームの先端部に設けられ、このブームの先端部に取り付けられるとともに先端に電線を仮支持する仮支持部を有し、前記ブームの先端部に対して前記仮支持部の上下位置を調整可能に構成されたサブブーム装置と、ブームの先端部に取り付けられた作業台と、車体に対するブームの先端部の位置を検出するブーム位置検出手段と、ブームの先端部に対する仮支持部の位置を検出する仮支持部位置検出手段と、ブーム位置検出手段により検出されたブームの先端部の位置から作業台の地上からの高さを算出する作業台高さ算出手段と、仮支持部位置検出手段により検出された仮支持部の位置から仮支持部の作業台からの高さを算出する仮支持部高さ算出手段と、作業台の地上からの高さが所定の閾値を超え、かつ、仮支持部の作業台からの高さが所定の閾値より小さいときに規制信号を出力する規制判定手段と、作業台に設けられ、サブブーム装置を操作するサブブーム操作手段（例えば実施形態における上部操作装置）と、サブブーム操作手段からの操作信号に応じてサブブーム装置を作動させるとともに、規制判定手段から規制信号が出力されているときに、仮支持部が下降する方向のサブブーム装置の作動を規制するサブブーム制御手段（例えば、実施形態におけるブーム制御部３１）と、を有して構成される。